(57)【要約】【課題】  動画像からなる複数のアイコンが配置されたメニュー画面を表示させる際のユーザ操作に対するメニュー表示の応答性を向上させた携帯通信端末を提供する。【解決手段】  外部機器から取得された各アイコンの動画データを含む外部取得データを記憶するパッケージタ記憶部３２と、外部取得データに基づいて、この外部取得データから得られるメニュー画面のいずれかのフレームからなる静止画像データを生成し、静止画像記憶部３６ａ内に格納する静止画像データ生成部３６と、ユーザによるメニュー表示操作に基づいて静止画像記憶部３６ａから静止画像データを読み出し、静止画像を表示する静止画像表示部３７と、メニュー表示操作時に、外部取得データに基づいてメニュー画面を表示するメニュー画面表示部３８により構成される。【選択図】  図３
2008085618.tif 000002
【特許請求の範囲】
【請求項１】
動画像からなる２以上のアイコンが配置されたメニュー画面の表示可能な携帯通信端末において、
外部機器から取得された上記各アイコンの動画データを含む外部取得データを記憶する外部取得データ記憶手段と、
上記外部取得データに基づいて、この外部取得データから得られる上記メニュー画面のいずれかのフレームからなる静止画像データを生成し、メモリ内に格納する静止画像データ生成手段と、
ユーザによるメニュー表示操作に基づいて上記メモリから上記静止画像データを読み出し、静止画像を表示する静止画像表示手段と、
上記メニュー表示操作時に、上記外部取得データに基づいて上記メニュー画面を表示するメニュー画面表示手段とを備えたことを特徴とする携帯通信端末。
【請求項２】
通信ネットワーク上のウェブサーバから圧縮された動画データからなるコンテンツデータを取得して上記外部取得データ記憶手段に上記外部取得データとして記憶させるコンテンツデータ取得手段と、
上記コンテンツデータ取得手段により取得された上記コンテンツデータを伸張処理し、メニュー画面データを生成するメニュー画面データ生成手段とを備え、
上記静止画像データ生成手段が、上記メニュー画面データに基づいて静止画像データを生成し、
上記メニュー画面表示手段は、上記メニュー画面データ生成手段が上記メニュー表示操作に基づいて生成したメニュー画面データに基づいて、上記メニュー画面を表示することを特徴とする請求項１に記載の携帯通信端末。
【請求項３】
ユーザ操作に基づいて、上記メニュー画面上でフォーカス位置を移動させるフォーカス移動手段を備え、
上記メニュー画面表示手段が、上記フォーカス位置のアイコンを非フォーカス時とは異ならせて表示し、
上記静止画像データ生成手段が、上記メニュー画面の表示開始時におけるメニュー画面上のフォーカス位置を上記フォーカス位置とする静止画像データを生成することを特徴とする請求項１又は２に記載の携帯通信端末。
【請求項４】
上記静止画像データ生成手段が、メニュー画面の１フレーム目のフレームからなる静止画像データを生成することを特徴とする請求項１から３のいずれかに記載の携帯通信端末。
【発明の詳細な説明】
【技術分野】
【０００１】
本発明は、携帯通信端末に係り、さらに詳しくは、動画像からなる複数のアイコンが配置されたメニュー画面の表示可能な携帯通信端末の改良に関する。
【背景技術】
【０００２】
近年、ユーザインターフェースに用いられる画像、音声及び色などを必要に応じてユーザの好みのものに変更することができる携帯電話機が普及している。例えば、待受け時に表示される背景画像、着信時に再生させる着信音、及び、アイコンなどの表示色を必要に応じて変更することができる。さらに、各種機能が割り当てられた複数のアイコンを配置して構成されるメニュー画面の画面表示をユーザの好みのものに変更可能な携帯電話機もある。最近では、動画像からなるアイコンが配置されたメニュー画面を変更可能な携帯電話機が提案されている。この様な動画像からなるメニュー画面は、通常、通信ネットワーク上のウェブサーバなどの外部機器により提供され、ウェブサーバから取得したデータに基づいて表示される。
【特許文献１】特開２００６−９９５７１号公報
【特許文献２】特開２００４−１７３１０１号公報
【発明の開示】
【発明が解決しようとする課題】
【０００３】
一般に、動画データは、静止画データに比べてデータ量が多いので、圧縮して保持される。このため、上述したメニュー画面を表示する際には、圧縮された動画データを伸張処理する必要があり、静止画像に比べて表示が開始されるまでにより長い時間を要する。特に、動画像からなる複数のアイコンが配置されたメニュー画面では、各アイコンの動画データを合成しなければならないので、再生が開始されるまでに要する時間が長い。ここで、メニュー画面の表示では、ユーザ操作によりメニュー画面上でフォーカス位置が移動可能でなければならず、フォーカス位置のアイコンを非フォーカス時とは異ならせて表示する必要がある。このため、フォーカス時及び非フォーカス時の両方の動画データを各アイコンについて予め伸張処理して保持しておくことは、データ量が極めて増大することから現実的ではない。従って、上述した従来の携帯電話機では、メニュー画面を表示させる際に、再生が開始されるまでに要する時間が長く、ユーザ操作に対するメニュー表示開始の応答性が良くないという問題があった。
【０００４】
本発明は、上記事情に鑑みてなされたものであり、動画像からなる複数のアイコンが配置されたメニュー画面を表示させる際のユーザ操作に対するメニュー表示開始の応答性を向上させた携帯通信端末を提供することを目的としている。特に、外部機器から取得したフォーカス位置の移動可能なメニュー画面を表示させる際に、ユーザ操作に対してメニュー表示が開始されるまでの時間を短縮させた携帯通信端末を提供することを目的としている。
【課題を解決するための手段】
【０００５】
第１の本発明による携帯通信端末は、動画像からなる２以上のアイコンが配置されたメニュー画面の表示可能な携帯通信端末であって、外部機器から取得された上記各アイコンの動画データを含む外部取得データを記憶する外部取得データ記憶手段と、上記外部取得データに基づいて、この外部取得データから得られる上記メニュー画面のいずれかのフレームからなる静止画像データを生成し、メモリ内に格納する静止画像データ生成手段と、ユーザによるメニュー表示操作に基づいて上記メモリから上記静止画像データを読み出し、静止画像を表示する静止画像表示手段と、上記メニュー表示操作時に、上記外部取得データに基づいて上記メニュー画面を表示するメニュー画面表示手段とを備えて構成される。
【０００６】
この携帯通信端末では、各アイコンの動画データを含む外部取得データが記憶され、この外部取得データに基づいてメニュー画面のいずれかのフレームからなる静止画像データが生成され、メモリ内に格納される。ユーザによるメニュー表示操作時には、静止画像データをメモリから読み出して静止画像が表示されるとともに、外部取得データに基づいてメニュー画面が表示される。この様な構成により、メニュー表示操作時に、メモリ内に予め格納された静止画像データを読み出して静止画像を表示させるので、メニュー画面の再生に比べて短時間でメニュー表示を開始することができる。従って、動画像からなる複数のアイコンが配置されたメニュー画面を表示させる際のユーザ操作に対するメニュー表示開始の応答性を向上させることができる。
【０００７】
第２の本発明による携帯通信端末は、上記構成に加え、通信ネットワーク上のウェブサーバから圧縮された動画データからなるコンテンツデータを取得して上記外部取得データ記憶手段に上記外部取得データとして記憶させるコンテンツデータ取得手段と、上記コンテンツデータ取得手段により取得された上記コンテンツデータを伸張処理し、メニュー画面データを生成するメニュー画面データ生成手段とを備え、上記静止画像データ生成手段が、上記メニュー画面データに基づいて静止画像データを生成し、上記メニュー画面表示手段が、上記メニュー画面データ生成手段が上記メニュー表示操作に基づいて生成したメニュー画面データに基づいて、上記メニュー画面を表示するように構成される。
【０００８】
第３の本発明による携帯通信端末は、上記構成に加え、ユーザ操作に基づいて、上記メニュー画面上でフォーカス位置を移動させるフォーカス移動手段を備え、上記メニュー画面表示手段が、上記フォーカス位置のアイコンを非フォーカス時とは異ならせて表示し、上記静止画像データ生成手段が、上記メニュー画面の表示開始時におけるメニュー画面上のフォーカス位置を上記フォーカス位置とする静止画像データを生成するように構成される。
【０００９】
第４の本発明による携帯通信端末は、上記構成に加え、上記静止画像データ生成手段が、メニュー画面の１フレーム目のフレームからなる静止画像データを生成するように構成される。
【発明の効果】
【００１０】
本発明による携帯通信端末によれば、メニュー表示操作時に、メモリ内に予め格納された静止画像データを読み出して静止画像を表示させるので、動画像からなる複数のアイコンが配置されたメニュー画面の再生に比べて短時間でメニュー表示を開始することができる。特に、外部機器から取得したフォーカス位置の移動可能なメニュー画面を表示させる際に、ユーザ操作に対してメニュー表示が開始されるまでの時間を短縮させることができる。従って、メニュー画面を表示させる際のユーザ操作に対するメニュー表示開始の応答性を向上させることができる。
【発明を実施するための最良の形態】
【００１１】
図１は、本発明の実施の形態による携帯電話機１０を含むメニューコンテンツ変更システム１００の一構成例を示した図である。このメニューコンテンツ変更システム１００は、携帯電話機１０、基地局２０、通信ネットワーク２１及びウェブサーバ２２からなる通信システムである。携帯電話機１０は、基地局２０を介して移動体通信網に接続可能な通信端末であり、ディスプレイ１１と、メニューキー１２ａ、方向キー１２ｂ及び決定キー１２ｃなどの操作キーとが設けられている。
【００１２】
通信ネットワーク２１は、移動体通信網とは異なる通信網であり、インターネットやＬＡＮ（Local Area Network）などが想定される。
【００１３】
ウェブサーバ２２は、通信ネットワーク２１に接続された情報処理装置であり、様々なコンテンツをウェブサイト上で提供している。この例では、運営管理する事業者の異なる複数のウェブサーバ２２が通信ネットワーク２１に接続されている。
【００１４】
ウェブサーバ２２は、ウェブサイト上で、携帯電話機用のメニューコンテンツ変更パッケージ２３ａを提供している。このメニューコンテンツ変更パッケージ２３ａは、携帯電話機１０においてメニュー画面を表示する際に用いられるコンテンツデータである。ウェブサーバ２２上の記憶装置２３内には、複数のメニューコンテンツ変更パッケージ２３ａが格納されている。
【００１５】
基地局２０は、通信ネットワーク２１に接続されており、携帯電話機１０は、アドレスを指定して接続要求を送信すれば、通信ネットワーク２１上のウェブサーバ２２にアクセスすることができる。この携帯電話機１０では、必要に応じてウェブサーバ２２にアクセスし、ウェブサーバ２２上の記憶装置２３から所望のメニューコンテンツ変更パッケージ２３ａを取得してメニュー表示を変更する処理が行われる。
【００１６】
図２は、図１の携帯電話機１０の概略構成の一例を示したブロック図である。この携帯電話機１０は、セルラー通信部１、主制御部２、操作入力部３、受話用レシーバ４、送話用マイクロホン５、スピーカ６及びディスプレイ１１からなる。セルラー通信部１は、通信アンテナを介して基地局２０との間で電波の送受信を行う移動体通信処理手段である。主制御部２は、セルラー通信部１、操作入力部３、受話用レシーバ４、送話用マイクロホン５、スピーカ６及びディスプレイ１１の動作を制御するプロセッサからなる。
【００１７】
操作入力部３は、メニューキー１２ａ、方向キー１２ｂ及び決定キー１２ｃなどの操作キーの操作に基づいて入力信号を生成する動作を行っている。メニューキー１２ａ、方向キー１２ｂ及び決定キー１２ｃは、動作状態に応じて異なる機能の割り当てが可能な操作キーであり、機能割り当てがディスプレイ１１上に表示される。メニューキー１２ａは、メニュー画面を表示するための操作キーである。方向キー１２ｂは、表示画面上でフォーカシング位置を移動させるための操作キーである。決定キー１２ｃは、選択した機能を実行させるための操作キーである。
【００１８】
受話用レシーバ４は、通話時における音声信号の出力装置であり、送話用マイクロホン５は、音声の入力装置である。スピーカ６は、着信音データの出力装置である。ディスプレイ１１は、表示画面を有する画像データの出力装置であり、例えば、ＬＣＤ（Liquid Crystal Display：液晶ディスプレイ）が用いられる。
【００１９】
図３は、図２の携帯電話機１０の要部における構成例を示したブロック図であり、主制御部２内の機能構成の一例が示されている。この主制御部２は、コンテンツデータ取得部３１、パッケージ記憶部３２、メニュー表示設定変更部３３、メニュー画面データ生成部３４、メニュー画面データ記憶部３５、静止画像データ生成部３６、静止画像記憶部３６ａ、静止画像表示部３７、メニュー画面表示部３８及びフォーカス移動処理部３９により構成される。
【００２０】
コンテンツデータ取得部３１は、セルラー通信部１を介してウェブサーバ２２上の記憶装置２３からメニューコンテンツ変更パッケージ２３ａを取得し、パッケージ記憶部３２内に格納する動作を行っている。パッケージ記憶部３２は、ウェブサーバ２２などの外部機器から取得された複数のメニューコンテンツ変更パッケージ３２ａを記憶する外部取得データの記憶手段である。
【００２１】
このメニューコンテンツ変更パッケージ３２ａは、複数のアイコンデータ４１と、背景画像データ４２からなる。背景画像データ４２は、メニュー表示時に背景画像として表示するための画像データであり、圧縮された静止画データ又は動画データからなる。アイコンデータ４１は、アイコンを表示するための画像データであり、圧縮された動画データからなる。アイコンは、背景画像上に重ねて表示画面内に表示される表示オブジェクトであり、メニュー表示時には、選択可能な機能割り当てを示す。
【００２２】
ここでは、アイコンデータ４１及び背景画像データ４２のデータ圧縮には、ＧＩＦ（Graphic Interchange Format）やＪＰＥＧ（Joint Photographic Experts Group）形式の画像圧縮方法が用いられるものとする。
【００２３】
メニュー表示設定変更部３３は、ユーザ操作に基づいて、メニュー表示の設定を変更する処理を行っている。具体的には、ユーザ操作に基づいて、選択可能なメニューコンテンツ変更パッケージ３２ａのいずれか１つがメニュー画面の表示用データに指定され、パッケージの指定情報が書き換えられる。
【００２４】
メニュー画面データ生成部３４は、メニューコンテンツ変更パッケージ３２ａをパッケージ記憶部３２から読み出して伸張処理し、各アイコンの動画データからなるメニュー画面データを生成する処理を行っている。このメニュー画面データは、動画像からなる複数のアイコンが配置されたメニュー画面の表示を規定する表示データである。メニュー画面データ記憶部３５は、メニュー画面データ生成部３４により生成されたメニュー画面データを書き換え可能に記憶するメモリであり、ここでは、ＶＲＡＭ（Video RAM）が用いられている。メニュー画面データは、メニュー表示の設定変更時及びメニュー画面の表示時に生成される。
【００２５】
静止画像データ生成部３６は、メニュー画面データ記憶部３５からメニュー画面データを読み出して、静止画像データを生成し、静止画像記憶部３６ａ内に格納する処理を行っている。この静止画像データは、メニュー画面のいずれかのフレームからなり、メニュー表示の設定変更操作に基づいて生成される。静止画像データは、例えば、ビットマップ形式の画像データからなる。静止画像記憶部は、静止画像データを書き換え可能に記憶するメモリである。
【００２６】
静止画像表示部３７は、ユーザによるメニュー表示操作に基づいて、静止画像記憶部３６ａから静止画像データを読み出し、ディスプレイ１１上に静止画像を表示する処理を行っている。メニュー画面表示部３８は、上記メニュー表示操作に基づいて、メニュー画面データ記憶部３５からメニュー画面データを読み出し、読み出したメニュー画面データに基づいてディスプレイ１１上にメニュー画面を表示する処理を行っている。
【００２７】
ここでは、ユーザによるメニュー表示操作に基づいてメニュー画面データが生成され、生成されたメニュー画面データを読み出してメニュー画面の表示が行われる。メニュー画面データの画面表示では、通常、１フレーム目のフレーム画像から再生が開始される。そこで、メニュー画面表示において連続性を損なわないために、メニュー画面の１フレーム目のフレーム画像からなる静止画像データをメニュー画面データから抽出するのが望ましい。
【００２８】
この様にすれば、静止画像の表示後に、動画像からなるメニュー画面の再生が開始された際、途切れることなく静止画像の表示からメニュー画面の表示に切り替えさせることができる。一方、メニュー画面の１フレーム目のフレーム画像を静止画像データとして抽出する場合には、メニュー画面データの画面表示を２フレーム目のフレーム画像から再生を開始させても、画面表示の連続性が損なわれることはない。
【００２９】
フォーカス移動処理部３９は、ユーザ操作に基づいて、メニュー画面上でフォーカス位置を移動させる処理を行っている。メニュー画面表示部３８では、フォーカス位置のアイコンを非フォーカス時とは異ならせて表示する処理が行われる。例えば、表示色やサイズを異ならせて表示する処理が行われる。ここでは、静止画像データ生成部３６が、メニュー画面の表示開始時におけるメニュー画面上のフォーカス位置をフォーカス位置とする静止画像データを生成するものとする。
【００３０】
図４は、図２の携帯電話機１０における動作の一例を示した図であり、待受け時にディスプレイ１１上に表示される待受画面５１の一例が示されている。この待受画面５１は、待受け時に表示される画面表示であり、ピクト表示領域５２、メイン表示領域５３及びキー表示領域５４からなる。ピクト表示領域５２は、動作状態に応じて異なるピクトグラム（絵文字）を表示するための表示領域であり、画面上段に配置されている。ここでは、電波状態を示すアンテナピクト、電池残量を示す電池ピクト、及び、日付や時刻を示す時計ピクトがピクト領域５２内に配置されている。
【００３１】
キー表示領域５４は、操作キーに割り当てられている機能割り当てを示すアイコンを表示するための表示領域であり、画面下段に配置されている。ここでは、メニューキー１２ａの機能割り当てを示すメニューアイコン５４ａがキー表示領域５４内に配置されている。
【００３２】
メイン表示領域５３は、待受画像などの表示領域であり、ピクト表示領域５２及びキー表示領域５４間の領域となっている。この様な画面表示中に、メニューキー１２ａを操作すれば、メニュー画面を表示させることができる。
【００３３】
図５は、図２の携帯電話機１０における動作の一例を示した図であり、メニュー表示の変更時にディスプレイ１１上に表示されるメニュー表示の設定変更画面６１が示されている。この設定変更画面６１は、メニュー表示の設定を変更する際に、ユーザ操作に基づいて表示される画面表示である。この例では、ユーザが指定したメニューコンテンツ変更パッケージ３２ａに基づいて、メニュー表示の設定を変更するか否かの照会画面が設定変更画面６１として表示されている。
【００３４】
設定変更画面６１のメイン表示領域内には、照会ウィンドウ６２、選択ボタン６２ａ及び６２ｂが配置されている。選択ボタン６２ａ及び６２ｂは、設定変更を実行させるか否かに応じて操作されるアイコンであり、照会ウィンドウ６２内に配置されている。ここでは、一方の選択ボタン６２ａを操作すると、設定変更処理が実行され、他方の選択ボタン６２ｂを操作すると、設定変更処理は実行されずに、元の設定画面に復帰するものとする。
【００３５】
設定変更画面６１のキー表示領域内には、メニューアイコン５４ａの他に、メニュー表示設定の変更モードを終了して元の画面表示に復帰させるための終了アイコン５４ａが配置されている。設定変更処理が開始されると、メニュー画面データ生成部３４によるメニュー画面データの生成処理が開始され、メニュー表示用の静止画像データがメニュー画面データから抽出される。
【００３６】
図６（ａ）及び（ｂ）は、図２の携帯電話機１０における動作の一例を示した遷移図であり、図６（ａ）には、メニュー表示の変更処理中に出力される画面表示が示され、図６（ｂ）には、変更処理の終了時に出力される画面表示が示されている。メニュー表示の設定変更処理中には、処理中であることを示すメッセージ「着せ替え中」が配置されたウィンドウ６３が設定変更画面６１のメイン表示領域内に表示される。
【００３７】
設定変更処理の終了時には、処理終了を示すメッセージ「着せ替え完了」が配置されたウィンドウ６４が表示される。この設定変更処理では、ユーザが指定したメニューコンテンツ変更パッケージ３２ａをパッケージ記憶部３２から読み出してメニュー画面データが生成され、１フレーム目のフレーム画像がメニュー表示用の静止画像として抽出され、静止画像記憶部３６ａ内に格納される。
【００３８】
図７は、図２の携帯電話機１０における動作の一例を示した図であり、メニュー表示時にディスプレイ１１上に表示されるメニュー画面７１が示されている。このメニュー画面７１は、メニューキー１２ａの操作に基づいて表示される画面表示であり、動画像からなる複数の異なるアイコン７３がトップメニューコンテンツとしてメイン表示領域７２内に表示されている。この例では、メニュー画面データの１フレーム目のフレーム画像が表示されている。具体的には、「ウェブ」、「ネットアプリ」、「カメラ」、「メール」、「データＢＯＸ」、「アドレス」、「設定」、「キット」及び「ツール」の各アイコン７３が、３行３列の行列状に配置されている。
【００３９】
「ウェブ」アイコンは、通信ネットワーク２１上のウェブサーバ２２にアクセスしてウェブサイトを閲覧するウェブブラウザ機能を選択するためのアイコンである。「ネットアプリ」アイコンは、通信ネットワーク２１を介して他の端末と通信する機能を選択するためのアイコンである。「カメラ」アイコンは、カメラによる撮像機能を選択するためのアイコンである。
【００４０】
「メール」アイコンは、電子メールを送信し、受信メールを閲覧する機能を選択するためのアイコンである。「データＢＯＸ」アイコンは、メモリ上に保存したデータを確認する機能を選択するためのアイコンである。「アドレス」アイコンは、電話帳データを閲覧する機能を選択するためのアイコンである。
【００４１】
「設定」アイコンは、各種設定を変更する機能を選択するためのアイコンである。「キット」及び「ツール」アイコンは、それぞれ所定の機能を選択するためのアイコンである。
【００４２】
各アイコン７３は、色、サイズ、形状、画面内における位置を、他のアイコンとは独立して個別に変化する動画像からなる。
【００４３】
図８は、図２の携帯電話機１０における動作の一例を示した図であり、メニュー画面データの再生中のメニュー画面７１の様子が示されている。このメニュー画面７１では、各アイコン７３が、位置を上下又は左右に変化させて表示されている。メイン表示領域の中央に配置されたアイコン７３ａは、メニュー画面の表示開始時において、フォーカス位置に指定されているアイコンであり、この例では、非フォーカス時に比べて上下左右に拡大して表示されている。
【００４４】
方向キー１２ｂを操作すれば、フォーカス位置を上下左右に移動させることができ、他のアイコン７３をフォーカシングすることができる。また、決定キー１２ｃ（機能割り当て表示７４）を操作すれば、フォーカス位置のアイコン７３に割り当てられている機能を実行させることができる。
【００４５】
本実施の形態では、この様なメニュー画面の１フレーム目のフレーム画像がメニュー表示用の静止画像として予め格納され、メニューキー１２ａが操作されると、メニュー画面データの再生開始に先立って上記静止画像を表示させている。これにより、ユーザによるメニュー表示操作に対してメニュー画面データの再生が開始されるまでの時間を短縮させ、見た目のレスポンスを向上させることができる。
【００４６】
図９のステップＳ１０１〜Ｓ１０８は、図２の携帯電話機１０におけるメニュー表示動作の一例を示したフローチャートである。まず、静止画像表示部３７は、メニューキー１２ａが操作されれば、静止画像記憶部３６ａから静止画像データを読み出してディスプレイ１１上に表示する（ステップＳ１０１，Ｓ１０２）。次に、メニュー画面データ生成部３４は、このメニューキー１２ａによるメニュー表示操作に基づいて、パッケージ記憶部３２からメニューコンテンツ変更パッケージ３２ａを読み込んでメニュー画面データを生成し、メニュー画面データ記憶部３５内に格納する（ステップＳ１０３，Ｓ１０４）。
【００４７】
このとき、メニュー画面表示部３８は、メニュー画面データ記憶部３５からメニュー画面データを読み出し、メニュー画面を再生する（ステップＳ１０５）。次に、フォーカス移動処理部３９は、方向キー１２ｂによるフォーカス位置の移動操作があれば、フォーカス位置を変更する処理を行う（ステップＳ１０６，Ｓ１０７）。メニュー画面表示部３８は、メニュー画面上のアイコンに割り当てられている機能が実行され、或いは、終了アイコンが操作されれば、このメニュー表示処理を終了する（ステップＳ１０８）。
【００４８】
本実施の形態によれば、メニュー表示操作時に、静止画像記憶部３６ａ内に予め格納された静止画像データを読み出して静止画像を表示させるので、メニュー画面７１の再生に比べて短時間でメニュー表示を開始することができる。従って、動画像からなる複数のアイコン７３が配置されたメニュー画面７１を表示させる際のユーザ操作に対するメニュー表示開始の応答性を向上させることができる。
【００４９】
なお、本実施の形態では、メニュー画面の１フレーム目のフレーム画像をメニュー表示用の静止画像として予め格納し、メニュー表示操作に基づいてこの静止画像が表示される場合の例について説明したが、本発明はこれに限られるものではない。例えば、メニュー画面の再生中に、メニュー表示を中断して他の画面表示に切り替える場合に、メニュー表示中断の直前のメニュー画面のフレーム画像を抽出してメモリ内に格納する。そして、メニュー表示の再開時には、このフレーム画像（静止画像）をメニュー画面の再生開始に先立って表示させるようにすることが考えられる。この様にすれば、メニュー表示の再開時におけるユーザ操作に対するメニュー表示開始の応答性を向上させることができる。
【００５０】
また、本実施の形態では、ユーザが指定したメニューコンテンツ変更パッケージ３２ａに対して、１つのフレーム画像がメニュー表示用の静止画像として格納される場合の例について説明したが、本発明はこれに限られるものではない。例えば、待受け表示などの画面表示に使用される言語が変更可能な場合に、使用言語の異なる複数の静止画像を予め格納し、言語の指定に応じた静止画像をメニュー表示操作に基づいて表示させても良い。或いは、文字などを通常モードに比べて拡大して表示させる拡大モードが選択可能な場合に、通常モード用及び拡大モード用の２つの静止画像を予め格納し、動作モードの指定に応じた静止画像をメニュー表示操作に基づいて表示させても良い。
【図面の簡単な説明】
【００５１】
【図１】本発明の実施の形態による携帯電話機１０を含むメニューコンテンツ変更システム１００の一構成例を示した図である。
【図２】図１の携帯電話機１０の概略構成の一例を示したブロック図である。
【図３】図２の携帯電話機１０の要部における構成例を示したブロック図であり、主制御部２内の機能構成の一例が示されている。
【図４】図２の携帯電話機１０における動作の一例を示した図であり、待受け時にディスプレイ１１上に表示される待受画面５１の一例が示されている。
【図５】図２の携帯電話機１０における動作の一例を示した図であり、メニュー表示の変更時に表示されるメニュー表示の設定変更画面６１が示されている。
【図６】図２の携帯電話機１０における動作の一例を示した遷移図であり、メニュー表示変更処理中の画面表示と、変更処理終了時の画面表示が示されている。
【図７】図２の携帯電話機１０における動作の一例を示した図であり、メニュー表示時にディスプレイ１１上に表示されるメニュー画面７１が示されている。
【図８】図２の携帯電話機１０における動作の一例を示した図であり、メニュー画面データの再生中のメニュー画面７１の様子が示されている。
【図９】図２の携帯電話機１０におけるメニュー表示動作の一例を示したフローチャートである。
【符号の説明】
【００５２】
１  セルラー通信部
２  主制御部
３  操作入力部
４  受話用レシーバ
５  送話用マイクロホン
６  スピーカ
１０  携帯電話機
１１  ディスプレイ
１２ａ  メニューキー
１２ｂ  方向キー
１２ｃ  決定キー
２０  基地局
２１  通信ネットワーク
２２  ウェブサーバ
２３  記憶装置
２３ａ  メニューコンテンツ変更パッケージ
３１  コンテンツデータ取得部
３２  パッケージ記憶部
３３  メニュー表示設定変更部
３４  メニュー画面データ生成部
３５  メニュー画面データ記憶部
３６  静止画像データ生成部
３６ａ  静止画像記憶部
３７  静止画像表示部
３８  メニュー画面表示部
３９  フォーカス移動処理部
１００  メニューコンテンツ変更システム
【図１】
2008085618.tif 000003
【図２】
2008085618.tif 000004
【図３】
2008085618.tif 000005
【図５】
2008085618.tif 000006
【図６】
2008085618.tif 000007
【図７】
2008085618.tif 000008
【図８】
2008085618.tif 000009
【図９】
2008085618.tif 000010
【図４】
2008085618.tif 000011